(57)【要約】【課題】  カード読み取り装置におけるカード面上の画像読み取りを確実にすることにより、使用者によるカード読み直しのための再操作を減少させること。【解決手段】  カード面の画像を読み取るカード画像読み取り装置の制御方法であって、カード面の画像を読み取る画像読み取り手段と、カードを往復搬送する搬送手段と、カードの搬送異常を検知する搬送異常検知手段とを設け、前記搬送異常検知手段が往路にて搬送異常を検知したときに、復路にて再度カード面の画像を読み込むように前記画像読み取り手段、及び前記搬送手段を制御することを特徴とするカード画像読み取り装置の制御方法。【選択図】        図２
2006313466.tif 000002
【特許請求の範囲】
【請求項１】
カード面の画像を読み取るカード画像読み取り装置であって、
カード面の画像を読み取る画像読み取り手段と、
カードを往復搬送する搬送手段と、
カードの搬送異常を検知する搬送異常検知手段と、
前記搬送異常検知手段が往路にて搬送異常を検知したときに
復路にて再度カード面の画像を読み込む指示情報を前記画像読み取り手段、及び前記搬送手段に送る制御手段とを
有することを特徴とするカード画像読み取り装置。
【請求項２】
前記制御手段は、
前記搬送異常検知手段が復路にて搬送異常を検知したときに
カード搬送異常情報を出力することを特徴とする請求項１に記載のカード画像読み取り装置。
【請求項３】
カード面の画像を読み取るカード画像読み取り装置の制御方法であって、
カード面の画像を読み取る画像読み取り手段と、
カードを往復搬送する搬送手段と、
カードの搬送異常を検知する搬送異常検知手段とを設け、
前記搬送異常検知手段が往路にて搬送異常を検知したときに、
復路にて再度カード面の画像を読み込むように前記画像読み取り手段、及び前記搬送手段を制御することを特徴とするカード画像読み取り装置の制御方法。
【請求項４】
前記搬送異常検知手段が復路にて搬送異常を検知したときに
カード搬送異常情報を出力することを特徴とする請求項３に記載のカード画像読み取り装置の制御方法。
【発明の詳細な説明】
【技術分野】
【０００１】
本発明は、カード面上に形成された画像を読み取るカード画像読み取り装置、及びカード画像読み取り方法に関する。
【背景技術】
【０００２】
カード面に形成された画像を読み取り、画像に含まれる情報を処理することにより各種のサービスを行うシステムは、すでに一般に多用されている。
【０００３】
カード面に形成され、情報処理用に使用される画像としては、バーコード、数字や記号、文字、マーク、顔画像等が代表的なものである。
【０００４】
特に、大きなメモリ容量を有するＩＣカードが普及する環境下で、メモリ内に記録された情報と、カード表面に形成された画像を照合することにより、カード使用者が本人であるか否かを確認する本人確認端末（例えば、特許文献１参照。）や、カードの更新に際して必要になる諸情報の入力を誤り無く迅速に行うために、旧カードのカード面上の画像とメモリ内に記録された情報とを読み取るカード更新用の端末が増加する傾向にある。
【０００５】
しかしながら、メモリ内に記録された情報の読み取りに比較して、カード面上に形成された画像の読み取りは、カード面上の汚れ、読み取り時のカード搬送異常等により、読み取りが確実になされない場合が多い。このような場合、装置は読み取り異常であるとの表示と、再度の読み取りを行うために、使用者に、もう１度カードを装置に挿入させるように案内するメッセージとを表示手段に出力する。
【０００６】
このように、使用者には、しばしば読み直しのための再操作が要求される。
【特許文献１】特開２００２−８１１２号公報（第１頁）
【発明の開示】
【発明が解決しようとする課題】
【０００７】
本発明は、上述したような状況に鑑みてなされたもので、その目的は、カード読み取り装置におけるカード面上の画像読み取りを確実にすることにより、使用者によるカード読み直しのための再操作を減少させることにある。
【課題を解決するための手段】
【０００８】
上記課題は、以下の請求項に記載されるカード画像読み取り装置、及びその制御方法の実現により達成される。
（請求項１）
カード面の画像を読み取るカード画像読み取り装置であって、
カード面の画像を読み取る画像読み取り手段と、
カードを往復搬送する搬送手段と、
カードの搬送異常を検知する搬送異常検知手段と、
前記搬送異常検知手段が往路にて搬送異常を検知したときに
復路にて再度カード面の画像を読み込む指示情報を前記画像読み取り手段、及び前記搬送手段に送る制御手段とを
有することを特徴とするカード画像読み取り装置。
（請求項２）
前記制御手段は、
前記搬送異常検知手段が復路にて搬送異常を検知したときに
カード搬送異常情報を出力することを特徴とする請求項１に記載のカード画像読み取り装置。
（請求項３）
カード面の画像を読み取るカード画像読み取り装置の制御方法であって、
カード面の画像を読み取る画像読み取り手段と、
カードを往復搬送する搬送手段と、
カードの搬送異常を検知する搬送異常検知手段とを設け、
前記搬送異常検知手段が往路にて搬送異常を検知したときに、
復路にて再度カード面の画像を読み込むように前記画像読み取り手段、及び前記搬送手段を制御することを特徴とするカード画像読み取り装置の制御方法。
（請求項４）
前記搬送異常検知手段が復路にて搬送異常を検知したときに
カード搬送異常情報を出力することを特徴とする請求項３に記載のカード画像読み取り装置の制御方法。
【発明の効果】
【０００９】
請求項１に記載のカード画像読み取り装置によれば、カード面上の画像は、カードの搬送状態の検知結果に対応して、必要に応じ２回読み取られるので、１回の読み取りに比較して、カード面上の画像は、使用者の１回の操作により読み取られる確率が上がる。結果として、使用者による読み直しのための再操作が減少する。
【００１０】
請求項２に記載のカード画像読み取り装置によれば、カード搬送手段の異常が早期に検知される。
【００１１】
請求項３に記載のカード画像読み取り装置の制御方法によれば、カード面上の画像は、カード搬送状態の検知結果に対応して、必要に応じ２回読み取られるので、１回の読み取りに比較して、カード面上の画像は、使用者の１回の操作により読み取られる確率が上がる。結果として、使用者による読み直しのための再操作が減少する。
【００１２】
請求項４に記載のカード画像読み取り装置の制御方法によれば、カード画像読み取り装置のカード搬送異常が早期に検知される。
【発明を実施するための最良の形態】
【００１３】
以下、本発明の実施の形態を図を基に説明する。
【００１４】
図１は、カード画像読み取り装置Ａの外観図である。
図にて示すように、カード画像読み取り装置Ａの正面には、表示手段１００、カード挿入口２００、監視カメラ３００、音声出力手段４００が設けられている。
【００１５】
表示手段１００は、タッチパネルで、画像の表示と、表示された画面の所定の位置に触れることにより指示操作の入力とが可能なもので、一般に使用されている公知の手段である。
【００１６】
カード挿入口２００は、使用者が表示手段１０に出力された画像、及び音声出力手段４０に出力された音声による指示に従って自分のカードを挿入し、画像読み取り終了後のカードを取り出す開口部である。
【００１７】
監視カメラ３０は、使用者の顔画像を撮影して、得られた画像情報を所定の期間保存するもので、保安のために広く使用されているものである。
【００１８】
図２は、カード画像読み取り装置Ａの概念図である。
【００１９】
また、図３は、カード画像読み取り装置Ａの制御関係を示すブロック図である。
【００２０】
本実施の形態の説明におけるカード１は、両面に画像が形成されている非接触のＩＣカードで、内部にアンテナと専用のＩＣが埋め込まれているものである。但し、カード１は、片面のみに画像が形成されているものでも差し支えないし、ＩＣカードでなくても良い。また、ＩＣとの間で読み取り書き込みの情報交換を行う手段であるＩＣ情報交換手段５０を変更することにより接触型のＩＣカードに対応させることもできる。
【００２１】
カードを搬送する搬送手段１０は、複数の搬送ローラ対１１、１２、１３と、搬送ガイド部材１５、１６、１７、１８と、複数の前記搬送ローラ対１１、１２、１３を駆動するローラ駆動部（不図示）とから構成され、カード１を往復搬送する。カード１の搬送速度は、前記ローラ駆動部の駆動部品であるステッピングモータに加えるパルス数により制御されるもので、公知の制御技術からなる。
【００２２】
先端検知センサ２０は、光学センサで反射光、あるいは透過光のカード１の先端部による変化を検知してカード１の先端を検知するもので、公知の技術手段である。なお、検知信号は制御手段Ｃに送られる。
【００２３】
画像読み取り手段３０は、発光手段３１であるＬＥＤと、撮像手段３２であるＣＣＤ部から構成され、出力信号は制御部Ｃに送られる。なお、本実施の形態では、カード１の裏面画像を読み取る画像読み取り手段４０を備えている。
【００２４】
ＩＣ情報交換手段５０は、カード１のＩＣからの情報読み取り、及びＩＣへの情報書き込みを行う手段で、公知の手段である。
【００２５】
制御手段Ｃは、ＣＰＵ、メモリＭ、入出力用インターフェイス、通信用インターフェイス、駆動用回路を有するコンピュータシステムである。カード画像読み取り装置Ａの制御は、メモリＭに格納されているプログラムが実行されることによりなされる。なお、図３においては、本願発明の説明に関係の薄いブロックの記載が省略されている。
【００２６】
次に、カード１の搬送と、それに伴う処理について説明する。
【００２７】
カード挿入口２００から往路である矢印ａで示す方向に挿入され、先端が搬送ローラ対１１に加えられたカード１は、搬送ラインＬに沿って、予め設定されている所定の速度で搬送ラインＬに沿って進行する。
【００２８】
進行するカード１は、その先端が先端検知センサ２０によって検知され、検知信号が制御手段Ｃに送られる。前記検知信号を受けた制御手段Ｃはプログラムである搬送異常検知手段を実行させて、カード１の先端が画像読み取り手段３０により検知されるまでの時間Ｔの計時を開始する。
【００２９】
前記搬送異常検知手段は、往路においてはカード１の先端が先端検知手段２０に検知されてから、画像読み取り手段３０により検知されるまでの時間を計測して、計測結果が所定の時間内に入っているか否かを判定して搬送異常を検知し、復路においては、カード１の先端と後端とが画像読み取り手段３０により検知され、先端検知から後端検知までの時間が計測され、計測結果が所定の時間内に入っているか否かを判定して搬送異常を検知するものである。なお、時間を計測する代わりに、搬送手段１０のローラ駆動部のステッピングモータに印加したパルス数を計数するようにしてもよい。
【００３０】
先端が先端検知センサ２０によって検知されて進行したカード１は、搬送ローラ対１２、によって読み取り手段３０の画像読み取りに適合した速度で更に進行し、予め設定された時間の範囲内で先端が画像読み取り手段３０に到達したカード１の両面、又は片面に形成された画像が読み取られる。
【００３１】
画像の読み取りが行われたカード１は、搬送ローラ対１３によって、矢印ｂ方向に進行して、カード１の後端部が搬送ローラ対１３に挟持された状態で、一旦停止して、ＩＣ情報交換手段５０により、カード１への読み取りと書き込み処理が行われる。
【００３２】
前記カード１は、情報交換終了後、復路である搬送ラインＬの矢印ｃ方向に送られ、カード挿入口２００から排出される。
【００３３】
上述したように、カード１に形成された画像の読み取りは、カード１の搬送が正常に行われたときには、使用者の操作は一度で済み、問題は生じない。
【００３４】
しかしながら、使用者が、カード挿入口２００からカード１の挿入をするときに、無理な押し込みを継続した場合のように、搬送手段１０によるカード１の搬送が正常に行われず、結果として、先端検知センサ２０によるカード１の先端検知から、画像読み取り手段３０によるカード１の先端検知までの時間が予め設定された範囲内に入らず、搬送不良が発生したという判定が出されてしまう。このような場合、通常、カード１が矢印ｄの方向に逆送されカード挿入口２００排出される。従って、使用者は、再度、排出されたカード１をカード挿入口２００から挿入しなければならない。
【００３５】
本願発明においては、以下に説明する処理を行うことにより、このような問題の発生を、防止している。
【００３６】
図４は、往路において搬送不良が発生した場合に、復路にてカード画像の読み取りを行う処理の流れを示すフローチャートである。
【００３７】
使用者によりカード１がカード挿入口２００に挿入されると（ステップＳ１）、搬送ローラ対１１によってカード往方向である搬送ラインＬのａ方向に進行する（ステップＳ２）。進行する前記カード１の先端は、カード先端検知センサ２０によって検知され、検知信号は制御手段に送られる（ステップＳ３）。次いでカード１の先端が読み取り手段３０により検知されると（ステップＳ４）、カード１の先端がカード先端検知センサ２０によって検知され、次いで読み取り手段３０により検知される間での時間Ｔが、予め設定されている時間範囲（Ｔ１≦Ｔ≦Ｔ２）に入っているか否かが判定される（ステップＳ５）。即ち、Ｔ＜Ｔ１であるときには、カード１が使用者により無理に押し込まれた可能性があり、Ｔ＞Ｔ２のときには、カード１が途中でスリップした、あるいはカードが何らかの部材に突き当たった等の障害が考えられる。このような搬送不良が発生した場合には（ステップＳ５：Ｎ）、往路における搬送不良の発生のため画像の読み取りを取りやめ、復路において読み取りを行う目印である復路読み取りフラグをメモリＭの所定の場所に立てて（ステップＳ７）、画像の読み取りをスキップする。
【００３８】
搬送不良が検知されなかった場合には、（ステップＳ５：Ｙ）、画像読み取りを行い、読み取られた画像情報は制御手段ＣのメモリＭに設けられた所定のファイルに格納される（ステップＳ６）。画像読み取りを終えたカードは、後端部を搬送ローラ１３に挟持された状態で停止して（ステップＳ８）、ＩＣの記憶手段に記憶されている情報の読み取り、及びＩＣの記憶手段への情報の書き込みを行う（ステップＳ９）。
【００３９】
図２の矢印ｃで示される復路の搬送が開始させると（ステップＳ１０）、前記復路読み取りフラグが立っているか否かが判定される（ステップＳ１１）。もし、前記復路読込フラグが立っていなければ（ステップＳ１１：Ｎ）、カード１は、復路を搬送されて、カード挿入口２００から排出され（ステップＳ１３）、もし、前記復路読込フラグが立っていれば（ステップＳ１０：Ｙ）、復路にてカード１の画像の読み取りを行い（ステップＳ１２）、カード挿入口２００から排出する（ステップＳ１３）。
【００４０】
なお、復路におけるカード画像の読み取りは、往路における場合とは画像の読み取り方向が逆になる。このため、復路で読み取った画像情報は、メモリＭのファイルには画像情報のアドレスが往路とは逆になるように格納する、あるいは、往路と同様にメモリＭのファイル格納して、この画像の方向を逆にする等の補正処理を施す。
【００４１】
復路における画像読み取り手段４０によるカード１の先端検知情報と後端検知情報は（ステップＳ１２）、既に述べた搬送異常検知手段に送られ、これらの情報を基に搬送異常の有無が判定される。もし、往路にても搬送異常があったと判定された場合には（ステップＳ１４：Ｎ）、警告のメッセージを表示手段１００、及び音声出力手段に出力する（ステップＳ１５）。
【００４２】
以上説明したのような処理を行うカード画像読み取り装置Ａによって、使用者が行わなければならないカード再読み取り操作を減少させることができる。
【図面の簡単な説明】
【００４３】
【図１】カード画像読み取り装置の外観図である。
【図２】カード画像読み取り装置の概念図である。
【図３】カード画像読み取り装置の制御関係を示すブロック図である。
【図４】復路の処理の流れを示すフローチャートである。
【符号の説明】
【００４４】
１  カード
１０  搬送手段
１１〜１３  搬送ローラ対
１５〜１８  搬送ガイド部材
２０  カード先端検知センサ
３０、４０  読み取り手段
５０  ＩＣ情報交換手段
Ａ  カード画像読み取り装置
Ｃ  制御手段
【図１】
2006313466.tif 000003
【図２】
2006313466.tif 000004
【図３】
2006313466.tif 000005
【図４】
2006313466.tif 000006